(57)【要約】【課題】頭冠及びキャップ本体の内部形状の設計上の自由度が増加し、しかも、頭冠の取付不良、キャップ本体または頭冠のクラックの発生、及び頭冠のガタツキを防止できる筆記具用キャップを提供する。【解決手段】合成樹脂の射出成形体からなるキャップ本体２の上端開口部に頭冠３を挿着する。頭冠３が、キャップ本体２の上端開口部に挿入される筒状の挿入部４と、該挿入部４の上端に連設される頂壁部５とからなる。挿入部４の外面に軸方向に延びる切り欠き部４１を形成する。キャップ本体２の上端開口部の内縁部に射出成形用のゲート部２１を設ける。キャップ本体２の上端開口部に頭冠３を挿着した際、切り欠き部４１とキャップ本体２の上端開口部内面との間に、ゲート部２１を収容する空間部７を形成する。【選択図】  図１
2010247405.tif 000002
【特許請求の範囲】
【請求項１】
合成樹脂の射出成形体からなるキャップ本体の上端開口部に頭冠を挿着した筆記具用キャップであって、前記頭冠が、キャップ本体の上端開口部に挿入される筒状の挿入部と、該挿入部の上端に連設される頂壁部とからなり、前記挿入部の外面に軸方向に延びる切り欠き部を形成し、前記キャップ本体の上端開口部の内縁部に射出成形用のゲート部を設け、キャップ本体の上端開口部に頭冠を挿着した際、前記切り欠き部とキャップ本体の上端開口部内面との間に、前記ゲート部を収容する空間部を形成したことを特徴とする筆記具用キャップ。
【請求項２】
前記頭冠の挿入部の上方の外面に、キャップ本体の上端に当接する鍔部を設け、前記切り欠き部の軸方向前方の鍔部の下面に凹部を形成し、前記挿入部をキャップ本体の上端開口部に挿着するとともに前記鍔部の下面をキャップ本体上端に当接させた際、前記凹部とキャップ本体の上端との間に、前記ゲート部を収容する空間部を形成し、前記切り欠き部とキャップ本体の上端開口部内面との間に形成した空間部と、前記凹部とキャップ本体の上端との間に形成した空間部とを連通させた請求項１記載の筆記具用キャップ。
【請求項３】
前記キャップ本体の上端開口部内面に軸方向に延びる縦溝を形成し、前記頭冠の挿入部の切り欠き部以外の外面に軸方向に延びる縦リブを形成し、キャップ本体の上端開口部に頭冠を挿着した際、前記縦溝と前記縦リブとが係合してなる請求項１または２記載の筆記具用キャップ。
【発明の詳細な説明】
【技術分野】
【０００１】
本発明は、筆記具用キャップに関する。詳細には、キャップ本体の上端部に頭冠を取り付けた筆記具用キャップに関する。
【背景技術】
【０００２】
特許文献１には、キャップ本体の頂部に凸部を設け、前記凸部の頂部に射出成形用のゲート部を設けた筆記具用キャップが開示されている。
【先行技術文献】
【特許文献】
【０００３】
【特許文献１】特開平８−９０９８４号公報
【発明の概要】
【発明が解決しようとする課題】
【０００４】
前記文献１の筆記具用キャップは、頭冠及びキャップ本体の内部形状の設計上の自由度が少ない。
【０００５】
本発明は、前記従来の問題点を解決するものであって、頭冠及びキャップ本体の内部形状の設計上の自由度が増加し、しかも、頭冠の取付不良、キャップ本体や頭冠のクラックの発生、及び頭冠のガタツキを防止できる筆記具用キャップを提供しようとするものである。
尚、本発明において、「上」とは閉鎖側（頭冠側）を指し、「下」とはその反対側（ペン先挿入側）を指す。
【課題を解決するための手段】
【０００６】
＜１＞本願の第１の発明は、合成樹脂の射出成形体からなるキャップ本体２の上端開口部に頭冠３を挿着した筆記具用キャップであって、前記頭冠３が、キャップ本体２の上端開口部に挿入される筒状の挿入部４と、該挿入部４の上端に連設される頂壁部５とからなり、前記挿入部４の外面に軸方向に延びる切り欠き部４１を形成し、前記キャップ本体２の上端開口部の内縁部に射出成形用のゲート部２１を設け、キャップ本体２の上端開口部に頭冠３を挿着した際、前記切り欠き部４１とキャップ本体２の上端開口部内面との間に、前記ゲート部２１を収容する空間部７を形成したことを要件とする。
【０００７】
前記第１の発明の筆記具用キャップ１は、キャップ本体２の上端開口部の内縁部に射出成形用のゲート部２１を設けたことにより、頭冠３及びキャップ本体２の内部形状の設計上の自由度が増加する。また、前記第１の発明の筆記具用キャップ１は、切り欠き部４１とキャップ本体２の上端開口部内面との間に、ゲート部２１を収容する空間部７を形成したことにより、ゲート部２１のゲート残り（ゲート跡）と頭冠３との接触を回避でき、その結果、頭冠３の取付不良や、キャップ本体２または頭冠３のクラックの発生を防止できる。さらに、前記第１の発明の筆記具用キャップ１は、切り欠き部４１により空間部７を形成したことにより、切り欠き部４１以外の挿入部４の外面とキャップ本体２の上端開口部内面との間に大きな隙間を設けることが不要となり、キャップ本体２に対する頭冠３のガタツキを防止できる。
【０００８】
もし、頭冠３の挿入部４の外面に切り欠き部４１が存在しない場合、ゲート部２１のゲート残りが径方向内方や軸方向上方に大きく突設されると、ゲート残りと頭冠３とが接触することによって頭冠３の確実な取り付けが阻害され頭冠３の取付不良が生じたり、頭冠３とゲート部２１との接触部分で過大な応力が加わることによってキャップ本体２または頭冠３にクラックが生じたりすることがある。あるいは、頭冠３の挿入部４の外面に切り欠き部４１が存在しない場合に、ゲート部２１のゲート残りと挿入部４との接触を回避する目的で、頭冠３の挿入部４外面とキャップ本体２の上端開口部内面との間に環状の大きな隙間を設ける場合、キャップ本体２に対する頭冠３のガタツキが発生する。
【０００９】
＜２＞本願の第２の発明は、前記第１の発明の筆記具用キャップ１において、前記頭冠３の挿入部４の上端部外周面に、キャップ本体２の上端に当接する鍔部６を設け、前記切り欠き部４１の軸方向前方の前記鍔部６の下面に凹部６１を形成し、前記挿入部４をキャップ本体２の上端開口部に挿着するとともに前記鍔部６の下面をキャップ本体２上端に当接させた際、前記凹部６１とキャップ本体２の上端との間に、前記ゲート部２１を収容する空間部８（第２の空間部）を形成し、前記切り欠き部４１とキャップ本体２の上端開口部内面との間に形成した空間部７と、前記凹部６１とキャップ本体２の上端との間に形成した空間部８とを連通させたことを要件とする。
【００１０】
本願の第２の発明の筆記具用キャップ１は、凹部６１とキャップ本体２の上端との間にゲート部２１を収容する空間部８を形成し、切り欠き部４１とキャップ本体２の上端開口部内面との間に形成した空間部７と、前記凹部６１とキャップ本体２の上端との間に形成した空間部８とを連通させたことにより、より一層、ゲート部２１のゲート残りと頭冠３との接触を回避でき、その結果、頭冠３の取付不良、キャップ本体２または頭冠３のクラックの発生を防止できる。尚、前記切り欠き部４１の軸方向前方とは、切り欠き部４１から軸方向前方に延びる仮想延長線上をいう。
【００１１】
＜３＞本願の第３の発明は、前記第１または第２の発明の筆記具用キャップ１において、前記キャップ本体２の上端開口部内面に軸方向に延びる縦溝２２を形成し、前記頭冠３の挿入部４の切り欠き部４１以外の外面に軸方向に延びる縦リブ４２を形成し、キャップ本体２の上端開口部に頭冠３を挿着した際、前記縦溝２２と前記縦リブ４２とが係合してなることを要件とする。
【００１２】
本願の第３の発明の筆記具用キャップ１は、キャップ本体２の上端開口部に頭冠３を挿着した際、縦溝２２と縦リブ４２とが係合してなることにより、キャップ本体２に対する頭冠３の回転を規制することができる。また、本願の第３の発明の筆記具用キャップ１は、頭冠３の挿入部４の切り欠き部４１以外の外面に軸方向の縦リブ４２を形成したことにより、縦リブ４２による頭冠３の回転防止機能と、切り欠き部４１によるゲート残り接触回避機能とを、確実に得ることができる。
【発明の効果】
【００１３】
本発明の筆記具用キャップは、頭冠及びキャップ本体の内部形状の設計上の自由度が増加し、しかも、頭冠の取付不良や、キャップ本体または頭冠のクラックの発生を防止できる。
【図面の簡単な説明】
【００１４】
【図１】本発明の実施の形態の縦断面図である。
【図２】図１のＡ−Ａ線断面図である。
【図３】図１のＢ−Ｂ線断面図である。
【図４】図１のキャップ本体の縦断面図である。
【図５】図１のキャップ本体の平面図である。
【図６】図１の頭冠の正面図である。
【図７】図６のＣ−Ｃ線矢視断面図である。
【発明を実施するための形態】
【００１５】
本発明の実施の形態を図１乃至図７に示す。
本実施の形態の筆記具用キャップ１は、キャップ本体２と、該キャップ本体２の上端開口部に挿着される頭冠３とからなる。
【００１６】
（キャップ本体）
前記キャップ本体２は、合成樹脂の射出成形により得られる両端が開口した円筒体である。前記キャップ本体２の上端開口部の内縁部には、１８０度対称位置の２箇所に射出成形用のゲート部２１が設けられる。前記キャップ本体２の上端開口部の内縁部下方の内面には、軸方向に延びる２本の縦溝２２が形成される。前記縦溝２２は、ゲート部２１の下方位置からさらに周方向に９０度回転した位置に形成される。即ち、前記縦溝２２は、ゲート部２１の軸方向下方（ゲート部２１から軸方向下方に延びる仮想延長線上）には存在しない。
【００１７】
前記縦溝２２よりも下方のキャップ本体２の上端開口部の内面には、環状の内向突起２３が形成される。前記キャップ本体の外面にはクリップ２４が一体に形成される。前記キャップ本体２の下端開口部から筆記具のペン先が挿入される。
【００１８】
（頭冠）
前記頭冠３は、合成樹脂の射出成形により得られる有底筒体である。
前記頭冠３は、主に、頂壁部５と、該頂壁部５の下面より下方に一体に連設される円筒状の挿入部４と、該挿入部４の上方の外面より径方向外方に一体に突設される鍔部６とからなる。
【００１９】
前記挿入部４の外面には、軸心に対して１８０度対称位置の２箇所に、軸方向に延びる切り欠き部４１が形成される。本実施の形態では、前記切り欠き部４１の表面は、平面状である。これ以外にも、前記切り欠き部４１の表面は、挿入部４の円周状外周面に沿う仮想円より径方向内方に位置する構成であればよく、例えば、前記切り欠き部４１の表面は凹面状または凸面状であってもよい。
【００２０】
前記切り欠き部４１以外の挿入部４の外面には、軸心に対して１８０度対称位置の２箇所に、軸方向に延びる縦リブ４２が一体に形成される。前記切り欠き部４１及び縦リブ４２の下方には、環状の外向突起４３が一体に形成される。
【００２１】
前記鍔部６の下面（キャップ本体２上端との当接面）には、径方向に延び且つ径方向外方に開口する凹部６１が形成される。前記凹部６１は、切り欠き部４１の上端に位置される。
【００２２】
（頭冠の取り付け）
前記頭冠３の挿入部４を、キャップ本体２の上端開口部に上方から下方に挿入する。
【００２３】
そして、挿入部４外面の外向突起４３が、キャップ本体２の上端開口部内面の内向突起２３を下方に乗り越え、外向突起４３の上端と、内向突起２３の下端とが係合され、それと同時に、前記鍔部６の下面がキャップ本体２上端に当接され、頭冠３のキャプ本体への取り付けが完了する。
【００２４】
前記頭冠３のキャプ本体への取り付けが完了した状態において、キャップ本体２の上端開口部内面の縦溝２２と、頭冠３の挿入部４の外面の縦リブ４２とが係合され、頭冠３のキャップ本体２に対する回転が防止される。
【００２５】
さらに、この状態において、頭冠３の切り欠き部４１とキャップ本体２のゲート部２１は互いに対向する位置にあり、前記頭冠３の切り欠き部４１とキャップ本体２の上端開口部内面との間に、ゲート部２１を収容する第１の空間部７が形成されるとともに、鍔部６の下面とキャップ本体２の上端との間にゲート部２１を収容する第２の空間部８が形成される。前記第１の空間部７と第２の空間部８とが互いに連通される。
【００２６】
（作用）
本実施の形態の筆記具用キャップ１は、キャップ本体２の上端開口部の内縁部に射出成形用のゲート部２１を設けたことにより、頭冠３及びキャップ本体２の内部形状の設計上の自由度が増加する。また、本実施の形態の筆記具用キャップ１は、切り欠き部４１とキャップ本体２の上端開口部内面との間に、ゲート部２１を収容する空間部７（第１の空間部）を形成したことにより、ゲート部２１のゲート残り（ゲート跡）と頭冠３との接触を回避でき、その結果、頭冠３の取付不良や、キャップ本体２または頭冠３のクラックの発生を防止できる。さらに、本実施の形態の筆記具用キャップ１は、切り欠き部４１により空間部７を形成したことにより、切り欠き部４１以外の挿入部４の外面とキャップ本体２の上端開口部内面との間に大きな隙間を設けることが不要となり、キャップ本体２に対する頭冠３のガタツキを防止できる。
【００２７】
本実施の形態の筆記具用キャップ１は、凹部６１とキャップ本体２の上端との間にゲート部２１を収容する空間部８（第２の空間部）を形成し、切り欠き部４１とキャップ本体２の上端開口部内面との間に形成した空間部７（第１の空間部）と、凹部６１とキャップ本体２の上端との間に形成した空間部８とを連通させたことにより、より一層、ゲート部２１のゲート残りと頭冠３との接触を回避でき、その結果、頭冠３の取付不良、キャップ本体２または頭冠３のクラックの発生を防止できる。
【００２８】
本実施の形態の筆記具用キャップ１は、キャップ本体２の上端開口部に頭冠３を挿着した際、縦溝２２と縦リブ４２とが係合してなることにより、キャップ本体２に対する頭冠３の回転を規制することができる。また、本実施の形態の筆記具用キャップ１は、頭冠３の挿入部４の切り欠き部４１以外の外面に軸方向の縦リブ４２を形成したことにより、縦リブ４２による頭冠３の回転防止機能と、切り欠き部４１によるゲート残り接触回避機能とを、確実に得ることができる。
【符号の説明】
【００２９】
１  筆記具用キャップ
２  キャップ本体
２１  ゲート部
２２  縦溝
２３  内向突起
２４  クリップ
３  頭冠
４  挿入部
４１  切り欠き部
４２  縦リブ
４３  外向突起
５  頂壁部
６  鍔部
６１  凹部
７  空間部（第１の空間部）
８  空間部（第２の空間部）
【図１】
2010247405.tif 000003
【図２】
2010247405.tif 000004
【図３】
2010247405.tif 000005
【図４】
2010247405.tif 000006
【図５】
2010247405.tif 000007
【図６】
2010247405.tif 000008
【図７】
2010247405.tif 000009